(57)【要約】【課題】ヘアカール器具および毛髪をカールさせる方法を提供する。【解決手段】ヘアカール器具は、コネクタ部を介して離間した関係で一緒に固定される第１の側部１２および第２の側部１４を含む。コネクタ部は、各側部１２、１４に対して中央に配置される。コネクタ部の長さは２０ｍｍ以下である。側部１２、１４は、弾性および熱伝導性の両方を有する材料からなる。第１の側部１２は平坦であり、第２の側部１４は、第２の側部１４が凸形状であって第１の側部１２から離れるように屈曲した第１の固定状態と、第２の側部１４が凹形状であってコネクタ部および第１の側部１２の双方を覆うように折り返された第２の固定状態という２つの固定状態を有するように構成されている。第１の側部１２には、第１の側部１２から第２の側部１４にかけてコネクタ部と実質的に同方向に延び、コネクタ部から離間している少なくとも１つのバリア部材が設けられている。【選択図】図１ａ
2021524365.tif 000002
【特許請求の範囲】
【請求項１】
コネクタ部を介して互いに離間した関係で固定され、前記コネクタ部が各側部に対して中央に配置される第１の側部および第２の側部を含み、各前記側部は弾性および熱伝導性の両方の性質を有する材料からなる、ヘアカール器具であって、
前記第１の側部は平坦であり、前記第２の側部は、前記第２の側部が凸形状で前記第１の側部から離れるように屈曲した第１の固定状態および、前記第２の側部が凹形状で前記第２の側部が前記コネクタ部および前記第１の側部の両方を覆うように折り返された第２の固定状態という２つの固定状態を有するように構成され、
前記第１の側部は、前記第１の側部から前記第２の側部に向かって前記コネクタ部と同じ方向に延びて前記コネクタ部から離間している少なくとも１つのバリア部材を備え、少なくとも１つの前記バリア部材は高さを有し、前記コネクタ部は長さを有し、前記バリア部材の高さと前記コネクタ部の長さとの比は、少なくとも１：３である、ヘアカール器具。
【請求項２】
前記第２の側部には、少なくとも１つの前記バリア部材と協働する協働手段が設けられていることを特徴とする、請求項１に記載のヘアカール器具。
【請求項３】
少なくとも１つの前記バリア部材は、前記コネクタ部の周りに延在する連続した壁であり、前記壁は、毛髪の一部を受け入れる少なくとも１つのスロットを含む、請求項１または２に記載のヘアカール器具。
【請求項４】
離間した別個の壁要素の形態をした複数の前記バリア部材を含む、請求項１または２に記載のヘアカール器具。
【請求項５】
間隔を置いて配置された細長い突起の形態をした複数の前記バリア部材を含む、請求項１または２に記載のヘアカール器具。
【請求項６】
少なくとも５つの細長い突起を含む、請求項５に記載のヘアカール器具。
【請求項７】
少なくとも１つの前記バリア部材と協働する協働手段は、前記第２の側部が前記第２の固定状態にあるときに、少なくとも１つの前記バリア部材と整列するように成形され、配置された複数の穴を備える、請求項２〜６のいずれか一項に記載のヘアカール器具。
【請求項８】
少なくとも１つの前記バリア部材と協働する協働手段はチャネルを備え、前記チャネルは、前記第２の側部が前記第２の固定状態にあるときに、少なくとも１つの前記バリア部材が前記チャネル内に位置するように配置される請求項２〜６のいずれか一項に記載のヘアカール器具。
【請求項９】
前記コネクタ部は、４０ｍｍ以下の長さを有する、請求項１〜８のいずれか一項に記載のヘアカール器具。
【請求項１０】
少なくとも１つの前記バリア部材は、毛髪の一部が係合され得る少なくとも１つのスロットを含む、請求項１〜９のいずれか一項に記載のヘアカール器具。
【請求項１１】
前記コネクタ部は、円筒形状であることを特徴とする、請求項１〜１０のいずれか一項に記載のヘアカール器具。
【請求項１２】
各細長い突起は少なくとも５ｍｍの長さを有する、請求項５または６に記載のヘアカール器具。
【請求項１３】
各細長い突起は、５ｍｍ〜１０ｍｍの長さを有する、請求項５または６に記載のヘアカール器具。
【請求項１４】
前記コネクタ部は、２０ｍｍ以下の長さを有する、請求項１〜１３のいずれか一項に記載のヘアカール器具。
【請求項１５】
前記第１の側部および前記第２の側部は、前記コネクタ部の長さよりも大きい幅を有する、請求項１〜１４のいずれか一項に記載のヘアカール器具。
【請求項１６】
前記第１の側部および前記第２の側部は、前記コネクタ部の長さよりも少なくとも３倍大きい幅を有する、請求項１〜１５のいずれか一項に記載のヘアカール器具。
【請求項１７】
前記第１の側部および前記第２の側部は、前記コネクタ部の長さの１０倍未満の幅を有することを特徴とする、請求項１６に記載のヘアカール器具。
【請求項１８】
前記第１の側部および前記第２の側部は、形状が円形である、請求項１〜１７のいずれか一項に記載のヘアカール器具。
【請求項１９】
前記第１の側部および前記第２の側部の少なくとも一方には、複数の穴が設けられている、請求項１〜１８のいずれか一項に記載のヘアカール器具。
【請求項２０】
シリコンゴム材料から製造されている、請求項１〜１９のいずれか一項に記載のヘアカール器具。
【請求項２１】
少なくとも前記第２の側部は、少なくとも１つのサーモクロミック顔料を含む、請求項２０に記載のヘアカール器具。
【請求項２２】
請求項１〜２１のいずれか一項に記載のヘアカール器具を用いて毛髪をカールさせる方法であって、
前記ヘアカール器具の前記コネクタ部の周りに毛髪の一部を巻く工程（ａ）と、
前記第２の側部を前記第１の固定状態から前記第２の固定状態に移動させる工程（ｂ）と、
前記ヘアカール器具に熱を加える工程（ｃ）と、
前記ヘアカール器具を冷却する工程（ｄ）と、
毛髪から前記ヘアカール器具を取り外す工程（ｅ）と、
を含む、毛髪をカールさせる方法。
【請求項２３】
前記ヘアカール器具の前記第２の側部は、少なくとも１つの前記バリア部材と協働する協働手段を備え、前記工程（ｂ）において、前記第１の側部に位置する少なくとも１つの前記バリア部材は、前記第２の側部に位置する前記協働手段と整列し、前記第２の側部に位置する前記協働手段の中に位置する、請求項２２に記載の毛髪をカールさせる方法。
【請求項２４】
熱は、一対の加熱されたプレートの間で前記ヘアカール器具を把持することによって前記ヘアカール器具に加えられる、請求項２２または２３に記載の毛髪をカールさせる方法。
【請求項２５】
毛髪の一部の大部分は、前記コネクタ部と少なくとも１つの前記バリア部材との間に位置するチャネルに巻き付けられる、請求項２２〜２４のいずれか一項に記載の毛髪をカールさせる方法。
【発明の詳細な説明】
【技術分野】
【０００１】
本発明は、ヘアカール器具および毛髪をカールさせる方法に関する。
【背景技術】
【０００２】
毛髪の一部にカールを付与するための公知の装置は加熱されたカーリングアイロン、カーリングトングおよびカーリングワンドを含み、これらの大部分は、ハンドルに取り付けられた円筒形加熱要素を含む。これらの装置を使用するために、カールされる各毛髪の一部は、加熱要素の周りに巻かれ、次いで、取り除かれ、頭部の周りの毛髪の異なるセクションに対する動作を繰り返す。
【０００３】
ローラーもまた、毛髪をカールさせるために一般的に使用される。ローラーは、加熱されていなくてもよく、または使用前に予熱されていてもよい。加熱されたローラーは、使用前に加熱される中空円筒ローラー本体を備える。毛髪の一部は、毛髪の端部から始まり頭皮に向かって回転するようにローラーの周りに巻き付けられる。次に、ローラーは頭皮に固定され、ローラーからの熱は、ローラーが冷えるにつれて、その周りに巻き付けられた毛髪に伝達される。加熱ローラーは、典型的には非常に重く、ローラーを毛髪に入れるときにユーザーが指を火傷する危険性が常にある。加えて、ローラーは一般に、毛髪を一方向、すなわち毛髪の端部から頭皮まで巻くためにのみ使用することができ、それによって、１つのタイプのカールのみを生成する。
【先行技術文献】
【特許文献】
【０００４】
【特許文献１】米国特許第８６７１９５７号
【特許文献２】国際公開第２０１７／０９８２８２号
【発明の概要】
【発明が解決しようとする課題】
【０００５】
米国特許第８６７１９５７号は、可撓性の平らなベース部と、ベース部に固定されたステムと、ステムから延在され、その上端から延在されるフランジを有する円錐台状部を備えるボウル部とを有するヘアカール装置を記載している。ステムに髪を巻きつけた状態で、円錐台状部を折り畳んで、フランジがベース部に合うようにする。円錐台状壁は、ステムから最も厚みが小さいフランジまで厚みが減少する。ヘアカール装置は、フランジとベースとの間の摩擦に依存して、ヘアカール装置がユーザーの髪の毛を引き伸ばして滑り落ちるのを防止する。ヘアカール装置は、直接加熱されるようには設計されていない。
【０００６】
本出願人に対する国際公開第２０１７／０９８２８２号パンフレットには、中央ステムによって接合された第１および第２の側部を含み、第１および第２の側部の一方が凸形状および凹形状の構成を有するヘアカール装置が記載されている。毛髪がステムの周りに巻き付けられると、湾曲した側部が折り返されて閉構造を形成し、毛髪をヘアカール装置内に封入する。このヘアカール装置は熱伝導性であり、各々を個別に加熱することができる。このヘアカール装置は、内部フランジとベース部との間の摩擦に依存して、内部の毛髪の巻き戻しを防止する。
【０００７】
サロンおよび家庭環境の両方で使用するための、毛髪をカールさせるための改良されたヘアカール器具を提供することが望ましいであろう。
【課題を解決するための手段】
【０００８】
本発明は、コネクタ部を介して離間した関係で互いに固定され、前記コネクタ部が各側部に対して中央に配置される第１の側部および第２の側部を含み、各前記側部は弾性および熱伝導性の両方の性質を有する材料からなる、ヘアカール器具を提供する。
【０００９】
前記第１の側部は平坦であり、前記第２の側部は、前記第２の側部が凸形状で前記第１の側部から離れるように屈曲した第１の固定状態および、前記第２の側部が凹形状で折り返されて前記コネクタ部および前記第１の側部の双方を覆う第２の固定状態という２つの固定状態を有するように構成されている。
【００１０】
前記第１の側部は、前記第１の側部から前記第２の側部に向かって前記コネクタ部と同じ方向に延びて前記コネクタ部から離間している少なくとも１つのバリア部材を備え、少なくとも１つの前記バリア部材は高さを有し、前記コネクタ部は長さを有し、前記バリア部材の高さと前記コネクタ部の長さとの比は少なくとも１：３である。
【００１１】
前記第２の側部は、毛髪が前記コネクタ部の周りに巻かれた後、前記第１の側部の上に折り畳まれる。これは、毛髪を適所に保持し、毛髪を迅速に加熱し、ヘアカール器具をユーザーの毛髪に固定するのに役立つ。典型的には、前記第２の側部が前記第１の側部よりもわずかに幅広である。少なくとも１つの前記バリア部材は、反回転重力を停止させるために閉じたゲートウェイを作り出すことによって、毛髪がヘアカール器具から巻き戻されるのを防止するのに役立つ。これは、ヘアカール器具内に毛髪を捕捉したままにするのに役立つ。また、少なくとも１つの前記バリア部材は、ヘアカール器具を通して、ヘアカール器具内に保持された毛髪に熱を伝導するのに役立つ。
【００１２】
好ましくは、前記第２の側部には少なくとも１つの前記バリア部材と協働する協働手段が設けられている。
【００１３】
少なくとも１つの前記バリア部材は前記コネクタ部の周りに延在する連続した壁であってもよく、壁は毛髪の一部が係合されてもよい少なくとも１つのスロットを含む。
【００１４】
ヘアカール器具は、離間した別個の壁要素の形態の、複数の前記バリア部材を含んでいてもよい。
【００１５】
ヘアカール器具は、間隔を置いて配置された細長い突起の形態の複数の前記バリア部材を備えてもよい。好ましくは、ヘアカール器具は少なくとも５つの細長い突起を含む。好ましくは、各細長い突起は少なくとも５ｍｍの長さを有する。より好ましくは、各細長い突起は５ｍｍ〜１０ｍｍの長さを有する。
【００１６】
好ましくは、少なくとも１つの前記バリア部材と協働する協働手段は、前記第２の側部が前記第２の固定された状態にあるとき、少なくとも１つの前記バリア部材と整列するように成形され、配置された複数の穴を備える。
【００１７】
あるいは、少なくとも１つの前記バリア部材と協働する協働手段はチャネルを備え、前記チャネルは、前記第２の側部が前記第２の固定状態にあるとき、少なくとも１つの前記バリア部材が前記チャネル内に位置するように配置されてもよい。
【００１８】
少なくとも１つの前記バリア部材は、毛髪の一部を係合することができる少なくとも１つのスロットを含んでいてもよい。
【００１９】
好ましくは、前記コネクタ部は、円筒形状である。使用時には、カールされる毛髪がヘアカール器具の前記コネクタ部の周りに巻かれる。毛髪は、前記コネクタ部と少なくとも１つの前記バリア部材との間に巻き付けられてもよい。前記バリア部材は、前記コネクタ部の周りに巻かれた毛髪の一部を貫通することができる。
【００２０】
好ましくは、前記コネクタ部は４０ｍｍ以下の長さを有する。より好ましくは、前記コネクタ部は２０ｍｍ以下の長さを有する。有利には、前記コネクタ部の長さは１０ｍｍ〜１５ｍｍであり、より有利には、前記コネクタ部の長さは１３ｍｍである。
【００２１】
好ましくは、前記第１の側部および前記第２の側部は、前記コネクタ部の長さよりも大きい幅を有する。より好ましくは、前記第１の側部および前記第２の側部は、前記コネクタ部の長さよりも少なくとも３倍大きい幅を有し、さらに好ましくは、前記第１の側部および前記第２の側部は、前記コネクタ部の長さよりも１０倍未満大きい幅を有する。前記コネクタ部の長さに対する、前記第１の側部および前記第２の側部の幅の比率は、カールされる毛髪の全てが前記第１の側部および前記第２の側部によって覆われることを確実にするのに役立ち、加熱中の毛髪への、および冷却中の毛髪からの、熱の均一な送達を確実にするのに役立つ。
【００２２】
前記第１の側部および前記第２の側部は、幅６０〜８０ｍｍであり、好ましくは幅６５〜７５ｍｍであり、より好ましくは幅７０ｍｍである。
【００２３】
前記第１の側部および前記第２の側部は、形状が円形であってもよい。
【００２４】
前記第１の側部および前記第２の側部の一方または両方は、その中に複数の穴を含んでいてもよい。このような配置の利点は、加熱された毛髪がより迅速に冷却され得ることである。毛髪の冷却は、毛髪のカールを固定するために必要である。
【００２５】
前記コネクタ部には、複数の穴が設けられていてもよい。好ましくは、前記コネクタ部は中空である。
【００２６】
本発明の別の態様によれば、以下の工程を含む、上記のヘアカール器具を用いて毛髪にカールを形成する方法が提供される。
前記ヘアカール器具の前記コネクタ部の周りに髪の一部を巻く工程（ａ）と、
前記第２の側部を前記第１の固定状態から前記第２の固定状態に移動させる工程（ｂ）と、
前記ヘアカール器具に熱を加える工程（ｃ）と、
前記ヘアカール器具を冷却する工程（ｄ）と、
毛髪から前記ヘアカール器具を取り外す工程（ｅ）。
【００２７】
有利には、ヒータを使用して前記ヘアカール器具に熱を加える。好ましくは、前記ヒータは、前記ヘアカール器具の形状に対応する形状の、加熱されたプレートを有することができる加熱ツールの形態である。毛髪矯正装置上のプレートのような、一対の加熱されたプレートの間で前記ヘアカール器具を把持することによって、前記ヘアカール器具に熱を加えることができる。
【００２８】
有利には、前記ヘアカール器具の前記第２の側部は、少なくとも１つの前記バリア部材と協働する協働手段を備え、前記工程（ｂ）において、前記第１の側部に位置する少なくとも１つの前記バリア部材は、前記第２の側部に位置する前記協働手段と整列し、その中に位置する。
【００２９】
有利には、毛髪の一部の大部分は、前記コネクタ部と、少なくとも１つの前記バリア部材との間に位置するチャネルに巻き付けられる。
【００３０】
図面は毛髪をカールさせるためのヘアカール器具の好ましい実施形態を例示するものであり、一例としてのものである。
【図面の簡単な説明】
【００３１】
【図１ａ】開放形態における、ヘアカール器具の実施形態の側面図である。
【図１ｂ】閉鎖形態における、図１ａのヘアカール器具の側面図である。
【図２ａ】開放形態のヘアカール器具に巻き付けられた毛髪の一部を示す概略図である。
【図２ｂ】閉鎖形態のヘアカール器具に巻き付けられた毛髪の一部を示す概略図である。
【図３ａ】開放形態における、ヘアカール器具のさらなる実施形態の等角図である。
【図３ｂ】図３ａのヘアカール器具を閉鎖形態で示す等角図である。
【図３ｃ】閉鎖形態における、図３ｂのヘアカール器具を通る断面を示す。
【図４】開放形態における、ヘアカール器具のさらなる実施形態の等角図である。
【図５】開放形態における、ヘアカール器具のさらなる実施形態の等角図である。
【発明を実施するための形態】
【００３２】
ここで図１を参照すると、ヘアカール器具の実施形態は、一般的に１０で示されているカーラーの形態をとる。カーラー１０は、コネクタ部１６によって連結された２つの離間した側部１２、１４を備える。第１の側部１２は横から見て実質的に平坦であり、第２の側部１４は曲線状である。この実施形態では、第１の側部１２には、第２の側部１４に向かってコネクタ部１６と実質的に同じ方向に延びる５つの細長い突起（すなわちポスト）１８の形態のバリア部材が設けられている。細長い突起１８は、いずれの側部１２、１４に配置されてもよい。しかし、図示された例に示されるように、細長い突起１８は、第１の側部１２上で間隔を置いて配置され、コネクタ部１６と、実質的に平坦な第１の側部１２の外周との間に配置されることが好ましい。第２の側部１４は、２つの固定状態を有するように構成されている。第１の固定状態は図１ａに示されている。第２の側部１４は形状が凸形状であり、第１の側部１２から離れて曲線状である。これは、カーラー１０の開放形態であり、毛髪をコネクタ部１６の周りに巻きつけることを可能にする。第２の固定状態を図１ｂに示す。第２の側部１４は折り畳まれて、コネクタ部１６および第１の側部１２の頂部上に、凹形状に湾曲している。これは、カーラー１０の閉鎖形態であり、コネクタ部１６の周りに巻かれた毛髪をカーラー１０内に固定することを可能にする。図示された例では、カーラー１０はおよそ７０ｍｍの直径を有し、コネクタ部１６の長さはおよそ１５ｍｍであり、細長い突起１８のそれぞれの長さはおよそ９ｍｍである。各細長い突起１８の幅は約４ｍｍである。典型的には、第２の側部１４は、第１の側部１２よりもわずかに幅広である。細長い突起１８の長さは、毛髪をコネクタ部１６の周りに容易に巻き付けることができるように、コネクタ部１６の長さ以下でなければならない。しかし、細長い突起１８はまた、カーラー１０が閉鎖形態にあるときに、第１の側部１２と第２の側部１４との間に、ブリッジを形成するのに十分な長さを有していなければならない。
【００３３】
図２ａは、カーラー１０が開放形態で、カーラー１０上に巻かれた毛髪２２を示す。図２ｂは、カーラー１０が閉鎖形態で、カーラー１０上に巻かれた毛髪２２を示す。図２ａに示すように、毛髪２２の大部分は、コネクタ部１６と細長い突起１８との間に位置する。カーラー１０が閉鎖形態にあるとき、細長い突起１８は、毛髪がカーラー１０から巻き戻されるのを防止するバリアを形成し、毛髪がカーラー１０内に捕捉された状態を維持するのを助ける。
【００３４】
カーラー１０は、熱伝導性のシリコンゴムから製造される。これにより、カーラー１０が閉鎖形態にあると、カーラー１０およびその中の毛髪を加熱することができる。通常の毛髪矯正アイロンを使用して、毛髪矯正アイロンのはさみ部分をカーラー１０の周りにクランプすることによってカーラー１０を加熱することができる。バリア部材すなわち細長い突起１８はまた、毛髪矯正アイロンから毛髪へ熱を伝導するのを助ける。熱伝導性シリコンゴムはカーラー１０が温度によって色を変えるように、サーモクロミック顔料を含むことができる。好ましくは、サーモクロミック顔料は約３０℃で色を変化させ、毛髪が十分に冷却されてカールが硬化したことを示す。
【００３５】
図３ａ、図３ｂおよび図３ｃに示すように、側部１２、１４の一方または両方に穴２０を形成することができる。また、コネクタ部１６にもまたそのような穴を設けることができる。設けられる場合、穴２０は、典型的には側部１２、１４の一方または両方の全体にわたって形成される。穴２０が存在する場合には、それらは好ましくは側部１２、１４および／またはコネクタ部１６の周りに均等に間隔を置いて配置される。穴２０は、カーラー１０内の湿った毛髪の乾燥を早めるのに役立つか、または単にカーラー１０内の加熱された毛髪の冷却を助けるために、コネクタ部１６の周りに巻かれた毛髪への空気の循環を可能にする任意の特徴である。第２の側部１４上の穴２０の一部は、第１の側部１２上に位置する細長い突起１８と整列することができる。またその逆も同様であり、その結果、細長い突起１８の少なくとも一部は、穴２０の一部に位置する。
【００３６】
図３ｃに示されるように、コネクタ部１６は好ましくは中空である。これはカーラー１０をより柔軟にし、カーラー１０が２つの加熱された表面の間で圧縮されて、カーラー１０内に位置する毛髪をより効率的に加熱することを可能にする。
【００３７】
図４に示すように、バリア部材は実質的に連続した壁２４の形態をとることができ、壁２４には、コネクタ部１６の周りに巻き付けられる髪の一部を受け入れるための、少なくとも１つのスロット２６が設けられている。第２の側部１４の下面は、第２の側部１４が第２の固定状態に反転されたときに、壁２４が位置するチャネル（図示せず）を含んでもよい。
【００３８】
図５に示すように、バリア部材は一連の別個の壁部２８の形態をとることができ、コネクタ部１６の周りに巻き付けられる髪の一部は、壁部２８の間のギャップを通過する。第２の側部１４の下面は、第２の側部１４が第２の固定状態に反転されたときに、壁部２８が位置するチャネル（図示せず）または細長い穴を含んでもよい。
【符号の説明】
【００３９】
１０  カーラー
１２  第１の側部
１４  第２の側部
１６  コネクタ部
１８  細長い突起
２０  穴
２２  毛髪
２４  壁
２６  スロット
２８  壁部
【図１ａ】
2021524365.tif 000003
【図１ｂ】
2021524365.tif 000004
【図２ａ】
2021524365.tif 000005
【図２ｂ】
2021524365.tif 000006
【図３ａ】
2021524365.tif 000007
【図３ｂ】
2021524365.tif 000008
【図３ｃ】
2021524365.tif 000009
【図４】
2021524365.tif 000010
【図５】
2021524365.tif 000011
【国際調査報告】
2021524365.tif 000012
2021524365.tif 000013
2021524365.tif 000014